【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
メイン情報と付加情報が記録される情報記録媒体であって、
記録媒体に属する識別情報とメイン情報に属する識別情報からなり、上記メイン情報の記録及び／又は再生の動作を適応的に変化させるトリガ情報が上記付加情報として記録されていることを特徴とする情報記録媒体。
【請求項２】
少なくとも、メイン情報として記録可能なコンテンツを示すユーザ権限情報を含む記録媒体に属する識別情報からなり、上記メイン情報の記録及び／又は再生の動作を適応的に変化させるトリガ情報が付加情報とし予め記録されている情報記録媒体にメイン情報を記録する情報記録方法であって、
上記情報記録媒体から読み取られる再生信号から上記付加情報を検出する付加情報検出ステップと、
メイン情報とその著作権情報を取得する情報取得ステップと、
上記情報取得ステップで取得したメイン情報の著作権情報と上記付加情報検出ステップで検出された付加情報に含まれる上記ユーザ権限情報に基づいて、上記情報取得ステップで取得したメイン情報が上記情報記録媒体に記録可能であるか否かを判定する判定ステップと、
上記判定ステップで記録可能と判定されたメイン情報を上記情報記録媒体に記録する情報記録ステップとを有することを特徴とする情報記録方法。
【請求項３】
メイン情報と、記録媒体に属する識別情報とメイン情報に属する識別情報からなり、上記メイン情報の記録及び／又は再生の動作を適応的に変化させるトリガ情報が付加情報として記録されている情報記録媒体からメイン情報と付加情報を再生する情報再生方法であって、
上記情報記録媒体から読み取られた再生信号からメイン情報を検出するメイン情報検出ステップと、
上記情報記録媒体から読み取られた再生信号から上記付加情報を検出する付加情報検出ステップと、
上記メイン情報検出ステップで検出されたメイン情報に対して、上記付加情報検出ステップで検出された付加情報に応じて適応的な処理を施す適応処理ステップとを有し、
上記付加情報に応じた適応的な処理を施したメイン情報を出力することを特徴とする情報再生方法。
【請求項４】
メイン情報と、記録媒体に属する識別情報とメイン情報に属する識別情報からなり、上記メイン情報の記録及び／又は再生の動作を適応的に変化させるトリガ情報が付加情報として記録されている情報記録媒体からメイン情報と付加情報を再生する情報記録再生方法であって、
上記情報記録媒体から読み取られた再生信号からメイン情報を検出するメイン情報検出ステップと、
上記情報記録媒体から読み取られた再生信号から上記付加情報を検出する付加情報検出ステップと、
上記メイン情報検出ステップで検出されたメイン情報に対して、上記付加情報検出ステップで検出された付加情報に応じて適応的な処理を施す適応処理ステップと、
上記適応処理ステップで適応的な処理を施したメイン情報と当該メイン情報に関連する付加情報を上記情報記録媒体に記録する情報記録ステップと
を有することを特徴とする情報記録再生方法。
【請求項５】
少なくとも、メイン情報として記録可能なコンテンツを示すユーザ権限情報を含む記録媒体に属する識別情報からなり、上記メイン情報の記録及び／又は再生の動作を適応的に変化させるトリガ情報が付加情報とし予め記録されている情報記録媒体にメイン情報を記録する情報記録装置であって、
上記情報記録媒体から読み取られる再生信号から上記付加情報を検出する付加情報検出手段と、
メイン情報とその著作権情報を取得する情報取得手段と、
上記情報取得手段により取得したメイン情報の著作権情報と上記付加情報検出手段により検出した付加情報に含まれる上記ユーザ権限情報に基づいて、上記情報取得ステップで取得したメイン情報が上記情報記録媒体に記録可能であるか否かを判定する判定手段と、
上記判定手段で記録可能と判定されたメイン情報を上記情報記録媒体に記録する情報記録手段と
を備えることを特徴とする情報記録装置。
【請求項６】
新たなユーザ権限情報を取得して上記情報記録媒体に書き込む更新処理手段を備えることを特徴とする請求項５記載の情報記録装置。
【請求項７】
上記更新処理手段において、新たなメイン情報を外部より取得する際に、対価支払い処理を行うことを特徴とする請求項６記載の情報記録装置
【請求項８】
メイン情報と、記録媒体に属する識別情報とメイン情報に属する識別情報からなり、上記メイン情報の記録及び／又は再生の動作を適応的に変化させるトリガ情報が付加情報として記録されている情報記録媒体からメイン情報と付加情報を再生する情報再生装置であって、
上記情報記録媒体から読み取られた再生信号からメイン情報を検出するメイン情報検出手段と、
上記情報記録媒体から読み取られた再生信号から上記付加情報を検出する付加情報検出手段と、
上記メイン情報検出手段により検出されたメイン情報に対して、上記付加情報検出手段により検出された付加情報に応じて適応的な処理を施す適応処理手段とを有し、
上記付加情報に応じた適応的な処理を施したメイン情報を出力することを特徴とする情報再生装置。
【請求項９】
上記適応処理手段において、上記メイン情報検出手段により検出されたメイン情報に対して、
上記付加情報検出手段により検出された付加情報に含まれる記録媒体に属する識別情報に基づいて、ユーザ権限に応じて適応的な処理を施すことを特徴とする請求項８記載の情報再生装置。
【請求項１０】
上記適応処理手段において、上記ユーザ権限に応じた適応的な処理として、上記付加情報検出手段により検出された付加情報に含まれるメイン情報に属する識別情報に基づいて、上記メイン情報の品質を適応的に変化させる処理を行うことを特徴とする請求項８記載の情報再生装置。
【請求項１１】
上記適応処理手段において、上記付加情報検出手段により検出された付加情報と新たに入力された外部入力付加情報に基づいて、上記メイン情報検出手段により検出されたメイン情報に対して適応的な処理を施すことを特徴とする請求項８記載の情報再生装置。
【請求項１２】
メイン情報と、記録媒体に属する識別情報とメイン情報に属する識別情報からなり、上記メイン情報の記録及び／又は再生の動作を適応的に変化させるトリガ情報が付加情報として記録されている情報記録媒体からメイン情報と付加情報を再生する情報記録再生装置であって、
上記情報記録媒体から読み取られた再生信号からメイン情報を検出するメイン情報検出手段と、
上記情報記録媒体から読み取られた再生信号から上記付加情報を検出する付加情報検出手段と、
上記メイン情報検出手段により検出されたメイン情報に対して、上記付加情報検出手段により検出された付加情報に応じて適応的な処理を施す適応処理手段と、
上記適応処理手段により適応的な処理を施したメイン情報と当該メイン情報に関連する付加情報を上記情報記録媒体に記録する情報記録手段と
を有することを特徴とする情報記録再生装置。
【請求項１３】
上記適応処理手段において、上記メイン情報検出手段により検出されたメイン情報に対して、
上記付加情報検出手段により検出された付加情報に含まれる記録媒体に属する識別情報として与えられるユーザ権限情報に応じて適応的な処理を施すことを特徴とする請求項１２記載の情報記録再生装置。
【請求項１４】
上記適応処理手段において、上記ユーザ権限に応じた適応的な処理として、上記付加情報検出手段により検出された付加情報に含まれるメイン情報に属する識別情報に基づいて、上記メイン情報の品質を適応的に変化させる処理を行うことを特徴とする請求項１３記載の情報記録再生装置。
【請求項１５】
上記適応処理手段において、上記付加情報検出手段により検出された付加情報と新たに入力された外部入力付加情報に基づいて、上記メイン情報検出手段により検出されたメイン情報に対して適応的な処理
を施すことを特徴とする請求項１２記載の情報記録再生装置。
【請求項１６】
上記適応処理手段において、上記付加情報検出手段により検出された付加情報に含まれる記録媒体に属する識別情報として与えられるユーザ権限情報に基づいて、メイン情報を外部より自動的に取得し、
上記情報記録手段において、上記適応処理手段により取得したメイン情報と該メイン情報に関連する付加情報を情報記録媒体に記録する
ことを特徴とする請求項１２記載の情報記録再生装置。
【請求項１７】
上記適応処理手段において、上記メイン情報を外部より自動的に取得する際に、対価支払い処理を行うことを特徴とする請求項１６記載の情報記録再生装置。
【請求項１８】
新たなユーザ権限情報を取得して上記情報記録媒体に書き込む更新処理手段を備えることを特徴とする請求項１２記載の情報記録再生装置。
【請求項１９】
上記更新処理手段において、新たなメイン情報を外部より取得する際に、対価支払い処理を行うことを特徴とする請求項１８記載の情報記録再生装置。